(57)【要約】      （修正有）【課題】吊り橋の主ケーブルの取替施工を実施する場合に、主ケーブルの取り外しに先立って該主ケーブルに沿って仮ケーブルを架設して行うことがなくして煩雑な作業を極力減じる吊り橋の主ケーブルの取替方法を提供する。【解決手段】吊り橋１の主塔２と補剛桁５との間に斜吊りケーブル11を掛け渡して補剛桁５を保持させる。この状態でハンガーロープ４を解体除去し、主ケーブル３を取り替える。新たに架設された主ケーブル３に新たなハンガーロープ４を垂下させ、該ハンガーロープ４に補剛桁５を支持させて、主ケーブル３に補剛桁５を保持させる。その後、前記斜吊りケーブル11を取り外す。また、必要に応じて、前記主塔２の外側に斜吊り用鉄塔13を設置し、前記斜吊りケーブル11を該斜吊り用鉄塔13と補剛桁５とに掛け渡して補剛桁５を保持させる。【選択図】図３
2018003526.tif 000002
【特許請求の範囲】
【請求項１】
主塔間に掛け渡された主ケーブルに垂下されたハンガーロープに補剛桁が保持された吊り橋の前記主ケーブルの取替方法において、
前記主塔と前記補剛桁とに斜吊りケーブルを架け渡して補剛桁を保持させて、前記主ケーブルを取り替えることを特徴とする吊り橋の主ケーブルの取替方法。    
【請求項２】
主塔間に掛け渡された主ケーブルに垂下されたハンガーロープに補剛桁が保持された吊り橋の前記主ケーブルの取替方法において、
前記補剛桁に配された床版を交換し、
前記主塔と補剛桁とに斜吊りケーブルを架け渡して補剛桁を保持させ、
前記ハンガーロープを取り外し、
既設の主ケーブルを新設の主ケーブルに取り替えて、
新規のハンガーロープを取り付けて、新設の主ケーブルによって前記補剛桁を保持させ、
前記斜吊りケーブルを取り外してなることを特徴とする吊り橋の主ケーブルの取替方法。
【請求項３】
前記主塔の外側に斜吊り用鉄塔を設置し、前記主塔に替えて該斜吊り用鉄塔と前記補剛桁とに前記斜吊りケーブルを掛け渡したことを特徴とする請求項１または請求項２に記載の吊り橋の主ケーブルの取替方法。
【請求項４】
前記補剛桁の下部にアウターケーブルを配設し、該アウターケーブルに前記斜吊りケーブルを連繋させたことを特徴とする請求項１から請求項３までのいずれかに記載の吊り橋の主ケーブルの取替方法。
【発明の詳細な説明】
【技術分野】
【０００１】
この発明は、山間部の渓谷や河口湾の断崖の間等に掛け渡されている吊り橋の主ケーブルを交換する吊り橋の主ケーブルの取替方法に関する。
【背景技術】
【０００２】
渓谷の両岸や河口湾を挟んだ断崖の間を通行するために掛け渡される橋梁では、橋脚を設置できずに長支間となることから、吊り橋が架設されている。吊り橋には列車や自動車の通行を目的とする大型のものから人の往来を目的とする小型のものまで種々のものが設置されている。特に、山間部等で人の往来を目的とする歩道橋の場合には、大きな幅員の交通路を要しないため、吊り橋が多用される。
【０００３】
吊り橋は、主として、渓谷の両岸等に設置された主塔の塔頂を経由させた主ケーブルと、この主ケーブルに垂下させたハンガーロープの下端に支持させた補剛桁からなり、前記主ケーブルの端部をアンカーブロック等に固定する。補剛桁の両端部を両岸等に設置した橋脚に支持させる。この補剛桁に床版が設置されて歩行路が設けられる。
【０００４】
例えば、特許文献１には、主ケーブルを利用する摺動ビームを用いた吊橋補剛桁の引出し架設工法に用いる架設装置が開示されている。また、特許文献２には、ホーリングロープ長並びに駆動装置台数を最小限に抑え、且つ作業効率を向上し、工期の短縮と工事費の低減を図り得る吊橋用主ケーブルの架設方法及び装置が開示されている。
【先行技術文献】
【特許文献】
【０００５】
【特許文献１】特公平２−２２８０５号公報
【特許文献２】特開平１０−２３７８１９号公報
【発明の概要】
【発明が解決しようとする課題】
【０００６】
吊り橋の前記主ケーブルは載荷重を前記アンカーブロックに伝達させるよう作用するが、この主ケーブルが老朽化して十分な強度を維持できなくなった場合には、力の伝達を果たせず、繰り返し荷重を受けること等により破損してしまうおそれが生じるから、該主ケーブルを取り替える必要が生じる。
【０００７】
主ケーブルを取り替える場合には、既設の主ケーブルを外すことになるが、前記補剛桁を支持させる必要がある。吊り橋の構造では主ケーブルに垂下させた前記ハンガーロープの下端に補剛桁を支持させてあるから、既設の主ケーブルの撤去に先立ってこのハンガーロープを保持させる必要があり、主ケーブルに沿って仮ケーブルを架設し、この仮ケーブルにハンガーロープを保持させる。また、この仮ケーブルを支持するための仮鉄塔を前記主塔の外側に設置する。仮ケーブルにハンガーロープを保持させて補剛桁を支持させた状態で、既設の主ケーブルを撤去する。撤去した主ケーブルに替えて新たに主ケーブルを架設し、これに新たなハンガーロープを垂下させて補剛桁を保持させる。その後、仮ケーブルと仮鉄塔とを撤去する。上述の仮ケーブルの架設施工と新たな主ケーブルの架設施工には、例えば特許文献２に開示された架設方法によることができる。
【０００８】
しかしながら、仮ケーブルと新たな主ケーブルとのそれぞれについて架設施工を行うことになるため、煩雑な作業を要する。また、工期が長くなってしまい、その間の吊り橋の使用が制限される期間が長期になってしまうおそれがある。
【０００９】
そこで、この発明は、煩雑な作業を極力なくして、工期の短縮化を図れる吊り橋の主ケーブルの取替方法を提供することを目的としている。
【課題を解決するための手段】
【００１０】
前記目的を達成するための技術的手段として、この発明に係る吊り橋の主ケーブルの取替方法は、主塔間に掛け渡された主ケーブルに垂下されたハンガーロープに補剛桁が保持された吊り橋の前記主ケーブルの取替方法において、前記主塔と前記補剛桁とに斜吊りケーブルを架け渡して補剛桁を保持させて、前記主ケーブルを取り替えることを特徴としている。
【００１１】
前記斜吊りケーブルで主塔に補剛桁を保持させることによって、主ケーブルを補剛桁の保持状態から解放できるようにしたものである。補剛桁が斜吊りケーブルによって保持されており、この状態で既設の主ケーブルを取り外し、新たな主ケーブルを主塔間に掛け渡す。この新設の主ケーブルにハンガーロープを垂下させて該ハンガーロープに補剛桁を支持させる。
【００１２】
また、請求項２の発明に係る吊り橋の主ケーブルの取替方法は、主塔間に掛け渡された主ケーブルに垂下されたハンガーロープに補剛桁が保持された吊り橋の前記主ケーブルの取替方法において、前記補剛桁に配された床版を交換し、前記主塔と補剛桁とに斜吊りケーブルを架け渡して補剛桁を保持させ、前記ハンガーロープを取り外し、既設の主ケーブルを新設の主ケーブルに取り替えて、新規のハンガーロープを取り付けて、新設の主ケーブルによって前記補剛桁を保持させ、前記斜吊りケーブルを取り外してなることを特徴としている。
【００１３】
主ケーブルの取り替えと共に、床版等の他の構造要素を取り替える場合に関するものである。すなわち、補剛桁から既設の床版を取り外した後に、新たな床版を設置し、斜吊りケーブルを架け渡して補剛桁を保持させる。ハンガーロープを取り外して既設の主ケーブルを撤去する。新たな主ケーブルを架設して新たなハンガーロープを取り付け、これらに補剛桁を支持させる。次いで、斜吊りケーブルを撤去する。
【００１４】
また、請求項３の発明に係る吊り橋の主ケーブルの取替方法は、前記主塔の外側に斜吊り用鉄塔を設置し、前記主塔に替えて該斜吊り用鉄塔と前記補剛桁とに前記斜吊りケーブルを掛け渡したことを特徴としている。
【００１５】
既設の主塔に斜吊りケーブルを取り付けて補剛桁を保持させた場合に、該主塔に十分な強度を得られないおそれがある場合には、斜吊りケーブルを取り付けるための斜吊り用鉄塔を設置することで、主塔に負担をかけないようにしたものである。
【００１６】
また、請求項４の発明に係る吊り橋の主ケーブルの取替方法は、前記補剛桁の下部にアウターケーブルを配設し、該アウターケーブルに前記斜吊りケーブルを連繋させたことを特徴としている。
【００１７】
斜吊りケーブルの本数や補剛桁への取付位置によっては安定して補剛桁を保持できない場合には、補剛桁の下部にアウターケーブルを配設して、これに斜吊りケーブルを連繋させることで、斜吊りケーブルにかかる力を分散させて、補剛桁を安定して保持できるようにしたものである。
【発明の効果】
【００１８】
この発明に係る吊り橋の主ケーブルの取替方法によれば、主ケーブルの交換に先立って、斜吊りケーブルによって補剛桁を保持させるから、主ケーブルの架設施工が一度でよい。このため、仮ケーブルを架設施工する煩雑な作業を行うことがなく、取り替え作業に要する工期の短縮化を図ることができる。
【図面の簡単な説明】
【００１９】
【図１】主ケーブルを取り替える状態にある吊り橋の側面図である。
【図２】補剛桁に設置されている床版を取り替える状態を示す吊り橋の側面図である。
【図３】主塔と補剛桁とに斜吊りケーブルを架け渡す状態を示す吊り橋の側面図である。
【図４】ハンガーロープを取り外す状態を示す吊り橋の側面図である。
【図５】主ケーブルを取り替える状態を示す吊り橋の側面図である。
【図６】ハンガーロープを取り付ける状態を示す吊り橋の側面図である。
【図７】斜吊りケーブルを取り外す際の状態を示す吊り橋の側面図である。
【発明を実施するための形態】
【００２０】
以下、図示した実施の形態に基づいてこの発明に係る吊り橋の主ケーブルの取替方法を具体的に説明する。
【００２１】
図１に示すように、吊り橋１は両側に設けられた主塔２、２に主ケーブル３が架設され、この主ケーブル３にハンガーロープ４が取り付けられて垂下され、該ハンガーロープ４によって補剛桁５が支持されている。また、補剛桁５には床版６が載置されて通行路が設置されている。
【００２２】
主ケーブル３を取り外すのに先立って、床版６や高欄を取り外す。このとき、これらの荷重が取り除かれることにより補剛桁５等が主ケーブル３の張力により浮き上がるおそれがある。この場合には、補剛桁５と橋脚７との間に仮受８を介在させて、浮き上がった状態の補剛桁５を支承させる。
【００２３】
次いで、図２に示すように、補剛桁５に新たな床版９を設置する。この場合、例えば、既設の吊り橋１の床版６にコンクリート床版が設置されている構造では、これを鋼床版に変更することで橋体の軽量化を図ることも可能である。また、床版９を設置する場合には、重機10により片押し架設によることができる。
【００２４】
床版９が設置された状態で、図３に示すように、主塔２と補剛桁５とに斜吊りケーブル11を掛け渡して補剛桁５を主塔２に保持させる。この場合、斜吊りケーブル11は補剛桁５の下弦材部に固定することが好ましい。また、必要に応じて補剛桁５の下部にアウターケーブル12を張設してこれに斜吊りケーブル11を連繋させて、斜吊りケーブル11にかかる力を分散させる。さらに、主塔２の外側に斜吊り用鉄塔13を設置して、主塔２に替えて該斜吊り用鉄塔13に斜吊りケーブル11を支持させることもできる。
【００２５】
斜吊りケーブル11が掛け渡された状態で、図４に示すように、ハンガーロープ４を解体する。このとき、高所作業車15と引付け用仮ロープ16を使用して負荷状態で解体する。なお、橋体の死荷重にトラスの強度が十分に対抗するように、必要に応じて補強する。
【００２６】
ハンガーロープ４を解体した後、主ケーブル３を取り替える。この取付作業は、図５に示すように、ウィンチ14を用いて既設の主ケーブル３を解体すると共に、新設の主ケーブル３を架設する。
【００２７】
架設された新規の主ケーブル３に、図６に示すように、新たなハンガーロープ４を垂下させ、その下端部に補剛桁５を支持させる。この際、新設された前記床版９の荷重に応じてハンガーロープ４の仕様を適合させる。
【００２８】
その後、前記斜吊りケーブル11を撤去し、必要に応じて設置した斜吊り用鉄塔13を撤去する。
【産業上の利用可能性】
【００２９】
この発明に係る吊り橋の主ケーブルの取替方法によれば、既設の主ケーブルに沿って架設する仮ケーブルに替えて斜吊りケーブルを設けて新設の主ケーブルを架設するため、仮ケーブルの架設作業がなく、煩雑な作業を減じて主ケーブルの取替施工を行えるので、工期の短縮化を図れると共に、取替施工に要する費用を削減できて、吊り橋の主ケーブルの取替の促進を図ることに寄与する。
【符号の説明】
【００３０】
１  吊り橋
２  主塔
３  主ケーブル
４  ハンガーロープ
５  補剛桁
６  床版
７  橋脚
８  仮受
９  床版
10  重機
11  斜吊りケーブル
12  アウターケーブル
13  斜吊り用鉄塔
14  ウィンチ
【図１】
2018003526.tif 000003
【図２】
2018003526.tif 000004
【図３】
2018003526.tif 000005
【図４】
2018003526.tif 000006
【図５】
2018003526.tif 000007
【図６】
2018003526.tif 000008
【図７】
2018003526.tif 000009